(57)【要約】【課題】回動式のノズル洗浄部から吐出された水がケーシングの内部においてノズルの左右方向に飛散することを抑制できる衛生洗浄装置を提供する。【解決手段】下部にケースプレートを有するケーシングと、ケーシングに収納された収納状態とケーシングから前方に進出した進出状態とを有し、進出状態において人体局部を洗浄するノズルと、ノズルが収納状態のときの第１位置とノズルが進出状態のときの第２位置との間で回動し、水を吐出することによりノズルを洗浄するノズル洗浄部と、ケーシングの内部に設けられる一対の水飛散抑制部と、を備え、ケースプレートは、第１位置にあるノズル洗浄部から吐出された水が直接着水する着水部を有し、一対の水飛散抑制部は、着水部の左右に設けられることを特徴とする衛生洗浄装置。【選択図】図６
2020117900.tif 000002
【特許請求の範囲】
【請求項１】
下部にケースプレートを有するケーシングと、
前記ケーシングに収納された収納状態と前記ケーシングから前方に進出した進出状態とを有し、前記進出状態において人体局部を洗浄する局部洗浄ノズルと、
前記局部洗浄ノズルが前記収納状態のときの第１位置と前記局部洗浄ノズルが前記進出状態のときの第２位置との間で回動し、水を吐出することにより前記局部洗浄ノズルを洗浄するノズル洗浄部と、
前記ケーシングの内部に設けられる一対の水飛散抑制部と、
を備え、
前記ケースプレートは、前記第１位置にある前記ノズル洗浄部から吐出された水が直接着水する着水部を有し、
前記一対の水飛散抑制部は、前記着水部の左右に設けられることを特徴とする衛生洗浄装置。
【請求項２】
前記局部洗浄ノズルの下方に設けられ、前記局部洗浄ノズルを支持するノズル支持部をさらに備え、
前記ノズル洗浄部及び前記一対の水飛散抑制部は、前記ノズル支持部に設けられることを特徴とする請求項１記載の衛生洗浄装置。
【請求項３】
前記一対の水飛散抑制部は、前記ケースプレートから離れた位置に設けられることを特徴とする請求項２記載の衛生洗浄装置。
【請求項４】
前記ノズル洗浄部は、吐水部を有し、
前記着水部の前端は、前記第１位置にある前記ノズル洗浄部の前記吐水部よりも後方に位置し、前記着水部の後端は、前記収納状態における前記局部洗浄ノズルの下端よりも前方に位置することを特徴とする請求項１〜３のいずれか１つに記載の衛生洗浄装置。
【請求項５】
前記一対の水飛散抑制部の前端は、前記着水部の前記前端よりも前方に位置し、前記一対の水飛散抑制部の後端は、前記着水部の前記後端よりも後方に位置することを特徴とする請求項４記載の衛生洗浄装置。
【発明の詳細な説明】
【技術分野】
【０００１】
本発明の態様は、一般的に、衛生洗浄装置に関する。
【背景技術】
【０００２】
局部洗浄ノズル（以下、単に「ノズル」とも称する）を衛生的に保つために、例えば、ノズルの進出中や後退中において、ノズル付近に設けられたノズル洗浄部から水を吐出し、ノズルの外観面を洗浄する胴体洗浄を行う衛生洗浄装置がある。このような胴体洗浄を行うことで、ノズルの外観面にこびり付いた汚れなどを洗い流すことができる。
【先行技術文献】
【特許文献】
【０００３】
【特許文献１】特許第５４２９２５４号公報
【発明の概要】
【発明が解決しようとする課題】
【０００４】
胴体洗浄を行うノズル洗浄部として、ノズルの進退に合わせて回動する回動式のノズル洗浄部がある。このような回動式のノズル洗浄部において、ノズルをケーシング内に収納した状態でノズル洗浄部から吐水すると、洗浄に使用された水はケーシングの内部に排出される。この排出された水は、ケーシングの下部に設けられたケースプレートに着水してノズルの左右方向に飛散する。ノズルの左右方向に配置された機器にこの飛散した水が着水すると、故障の原因となるおそれがある。
【０００５】
本発明は、かかる課題の認識に基づいてなされたものであり、回動式のノズル洗浄部から吐出された水がケーシングの内部においてノズルの左右方向に飛散することを抑制できる衛生洗浄装置を提供することを目的とする。
【課題を解決するための手段】
【０００６】
第１の発明は、下部にケースプレートを有するケーシングと、前記ケーシングに収納された収納状態と前記ケーシングから前方に進出した進出状態とを有し、前記進出状態において人体局部を洗浄する局部洗浄ノズルと、前記局部洗浄ノズルが前記収納状態のときの第１位置と前記局部洗浄ノズルが前記進出状態のときの第２位置との間で回動し、水を吐出することにより前記局部洗浄ノズルを洗浄するノズル洗浄部と、前記ケーシングの内部に設けられる一対の水飛散抑制部と、を備え、前記ケースプレートは、前記第１位置にある前記ノズル洗浄部から吐出された水が直接着水する着水部を有し、前記一対の水飛散抑制部は、前記着水部の左右に設けられることを特徴とする衛生洗浄装置である。
【０００７】
この衛生洗浄装置によれば、着水部の左右に一対の水飛散抑制部を設けることで、第１位置にあるノズル洗浄部から吐出され着水部で跳ねた水の飛散を、水飛散抑制部によって抑制できる。したがって、回動式のノズル洗浄部から吐出された水がケーシングの内部においてノズルの左右方向に飛散することを抑制できる。
【０００８】
第２の発明は、第１の発明において、前記局部洗浄ノズルの下方に設けられ、前記局部洗浄ノズルを支持するノズル支持部をさらに備え、前記ノズル洗浄部及び前記一対の水飛散抑制部は、前記ノズル支持部に設けられることを特徴とする衛生洗浄装置である。
【０００９】
この衛生洗浄装置によれば、ノズル洗浄部及び一対の水飛散抑制部をノズル支持部に設けることで、ノズル洗浄部に対する水飛散抑制部の位置がずれることを抑制できる。換言すれば、ノズル洗浄部と水飛散抑制部とを同じ部材に設けることで、組み立て誤差によって水飛散抑制部の位置が着水部からずれることを抑制できる。これにより、回動式のノズル洗浄部から吐出された水がケーシングの内部においてノズルの左右方向に飛散することをより確実に抑制できる。
【００１０】
第３の発明は、第２の発明において、前記一対の水飛散抑制部は、前記ケースプレートから離れた位置に設けられることを特徴とする衛生洗浄装置である。
【００１１】
この衛生洗浄装置によれば、一対の水飛散抑制部をケースプレートから離れた位置に設けることで、水飛散抑制部とケースプレートとの間に隙間を設けることができる。これにより、ノズル洗浄部から吐出された水がケースプレート上に残ることを抑制できる。
【００１２】
第４の発明は、第１〜第３のいずれか１つの発明において、前記ノズル洗浄部は、吐水部を有し、前記着水部の前端は、前記第１位置にある前記ノズル洗浄部の前記吐水部よりも後方に位置し、前記着水部の後端は、前記収納状態における前記局部洗浄ノズルの下端よりも前方に位置することを特徴とする衛生洗浄装置である。
【００１３】
この衛生洗浄装置によれば、着水部を第１位置にあるノズル洗浄部の吐水部と収納状態における局部洗浄ノズルの下端との間に位置するようにすることで、着水部で跳ねた水がケーシングの奥部に飛散することを抑制できる。
【００１４】
第５の発明は、第４の発明において、前記一対の水飛散抑制部の前端は、前記着水部の前記前端よりも前方に位置し、前記一対の水飛散抑制部の後端は、前記着水部の前記後端よりも後方に位置することを特徴とする衛生洗浄装置である。
【００１５】
この衛生洗浄装置によれば、一対の水飛散抑制部の前端を着水部の前端よりも前方に位置するようにするとともに、一対の水飛散抑制部の後端を着水部の後端よりも後方に位置するようにすることで、着水部の側方の全域を水飛散抑制部でカバーすることができる。したがって、着水部で跳ねた水の飛散をより確実に抑制できる。
【発明の効果】
【００１６】
本発明の態様によれば、回動式のノズル洗浄部から吐出された水がケーシングの内部においてノズルの左右方向に飛散することを抑制できる衛生洗浄装置が提供される。
【図面の簡単な説明】
【００１７】
【図１】実施形態に係る衛生洗浄装置を備えたトイレ装置を模式的に表す斜視図である。
【図２】実施形態に係る衛生洗浄装置の要部構成を模式的に表すブロック図である。
【図３】実施形態に係る衛生洗浄装置の局部洗浄ノズル周辺を模式的に表す斜視図である。
【図４】実施形態に係る衛生洗浄装置の局部洗浄ノズル周辺を模式的に表す斜視図である。
【図５】実施形態に係る衛生洗浄装置の局部洗浄ノズル周辺を模式的に表す斜視図である。
【図６】実施形態に係る衛生洗浄装置の局部洗浄ノズルの先端周辺を拡大して模式的に表す斜視図である。
【図７】実施形態に係る衛生洗浄装置の局部洗浄ノズル周辺を模式的に表す正面図である。
【発明を実施するための形態】
【００１８】
以下、本発明の実施の形態について図面を参照しつつ説明する。なお、各図面中、同様の構成要素には同一の符号を付して詳細な説明は適宜省略する。  
図１は、実施形態に係る衛生洗浄装置を備えたトイレ装置を模式的に表す斜視図である。  
図１に表したように、トイレ装置は、腰掛大便器（便器）８００と、その上に設置された衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００１９】
ケーシング４００は、ケースプレート４００ａ（図３〜図５参照）と、ケースカバーと、を有する。ケースプレート４００ａは、ケーシング４００の下部に位置し、ケースカバーは、ケーシング４００の上部に位置する。各機能部は、ケースプレート４００ａとケースカバーとの間の空間に収納されている。
【００２０】
ケーシング４００の内部には、便座２００に座った使用者の「おしり」などの局部の洗浄を実現する局部洗浄機能部などが内蔵されている。局部洗浄機能部は、例えば、ノズルユニットを含む。また、例えばケーシング４００には、使用者の便座２００への着座を検知する着座検知センサ４０４が設けられている。着座検知センサ４０４が便座２００に座った使用者を検知している場合において、使用者が例えばリモコンなどの操作部５００（図２参照）を操作すると、局部洗浄ノズル（ノズル）４７３を便器８００のボウル８０１内に進出させたり、ボウル８０１内から後退させたりすることができる。なお、図１に表した衛生洗浄装置１００では、ノズル４７３がボウル８０１内に進出した状態を表している。
【００２１】
ノズル４７３は、人体局部に向けて水（洗浄水）を吐出し、人体局部の洗浄を行う。ノズル４７３の先端部には、おしり洗浄吐水口４７４ａ、やわらか洗浄吐水口４７４ｂ、及びビデ洗浄吐水口４７４ｃが設けられている。ノズル４７３は、その先端に設けられたおしり洗浄吐水口４７４ａまたはやわらか洗浄吐水口４７４ｂから水を噴射して、便座２００に座った使用者の「おしり」を洗浄することができる。あるいは、ノズル４７３は、その先端に設けられたビデ洗浄吐水口４７４ｃから水を噴射して、便座２００に座った女性の女性局部を洗浄することができる。なお、本願明細書において「水」という場合には、冷水のみならず、加熱されたお湯も含むものとする。
【００２２】
「おしり」を洗浄するモードのなかには、例えば、「おしり洗浄」と、「おしり洗浄」よりもソフトな水流で優しく洗浄する「やわらか洗浄」と、が含まれる。ノズル４７３は、例えば、「おしり洗浄」と、「やわらか洗浄」と、「ビデ洗浄」と、を実行することができる。
【００２３】
なお、図１に表したノズル４７３では、ビデ洗浄吐水口４７４ｃがやわらか洗浄吐水口４７４ｂよりもノズル４７３の先端側に設けられており、やわらか洗浄吐水口４７４ｂがおしり洗浄吐水口４７４ａよりもノズル４７３の先端側に設けられているが、おしり洗浄吐水口４７４ａ、やわらか洗浄吐水口４７４ｂ、及びビデ洗浄吐水口４７４ｃの設置位置は、これだけに限定されるわけではない。また、図１に表したノズル４７３では、３つの吐水口が設けられているが、例えば、やわらか洗浄吐水口４７４ｂが省略されていてもよいし、４つ以上の吐水口が設けられていてもよい。
【００２４】
実施形態において、おしり洗浄吐水口４７４ａの吐水角度、やわらか洗浄吐水口４７４ｂの吐水角度、及びビデ洗浄吐水口４７４ｃの吐水角度は、例えば、それぞれ異なる。吐水角度は、例えば、便器８００の上面と吐出された水とのなす角度（劣角）である。おしり洗浄吐水口４７４ａの吐水角度は、例えば、４３度程度である。やわらか洗浄吐水口４７４ｂの吐水角度は、例えば、４３度程度である。ビデ洗浄吐水口４７４ｃの吐水角度は、例えば、４７度程度である。
【００２５】
図２は、実施形態に係る衛生洗浄装置の要部構成を模式的に表すブロック図である。  
図２では、水路系と電気系の要部構成を併せて表している。  
図２に表したように、衛生洗浄装置１００は、導水部２０を有する。導水部２０は、水道や貯水タンクなどの給水源１０からノズル４７３に至る管路２０ａを有する。導水部２０は、管路２０ａにより、給水源１０から供給された水をノズル４７３に導く。管路２０ａは、例えば、以下に説明する電磁弁４３１、熱交換器ユニット４４０、流路切替部４７２などの各部と、これらの各部を接続する複数の配管と、によって形成される。
【００２６】
導水部２０の上流側には、電磁弁４３１が設けられている。電磁弁４３１は、開閉可能な電磁バルブであり、ケーシング４００の内部に設けられた制御部４０５からの指令に基づいて水の供給を制御する。換言すれば、電磁弁４３１は、管路２０ａを開閉する。電磁弁４３１を開状態にすることにより、給水源１０から供給された水が、管路２０ａに流れる。
【００２７】
電磁弁４３１の下流には、調圧弁４３２が設けられている。調圧弁４３２は、給水圧が高い場合に、管路２０ａ内の圧力を所定の圧力範囲に調整する。調圧弁４３２の下流には、逆止弁４３３が設けられている。逆止弁４３３は、管路２０ａ内の圧力が低下した場合などに、逆止弁４３３よりも上流側への水の逆流を抑制する。
【００２８】
逆止弁４３３の下流には、熱交換器ユニット４４０（加熱部）が設けられている。熱交換器ユニット４４０は、ヒータを有し、給水源１０から供給された水を加熱して例えば規定の温度まで昇温する。すなわち、熱交換器ユニット４４０は、温水を生成する。
【００２９】
熱交換器ユニット４４０は、例えばセラミックヒータなどを用いた瞬間加熱式（瞬間式）の熱交換器である。瞬間加熱式の熱交換器は、貯湯タンクを用いた貯湯加熱式の熱交換器と比較すると、短い時間で水を規定の温度まで昇温させることができる。なお、熱交換器ユニット４４０は、瞬間加熱式の熱交換器には限定されず、貯湯加熱式の熱交換器であってもよい。また、加熱部は、熱交換器に限ることなく、例えば、マイクロ波加熱を利用するものなど、他の加熱方式を用いたものでもよい。
【００３０】
熱交換器ユニット４４０は、制御部４０５と接続されている。制御部４０５は、例えば、使用者による操作部５００の操作に応じて熱交換器ユニット４４０を制御することにより、操作部５００で設定された温度に水を昇温する。
【００３１】
熱交換器ユニット４４０の下流には、流量センサ４４２が設けられている。流量センサ４４２は、熱交換器ユニット４４０から吐出された水の流量を検知する。すなわち、流量センサ４４２は、管路２０ａ内を流れる水の流量を検知する。流量センサ４４２は、制御部４０５に接続されている。流量センサ４４２は、流量の検知結果を制御部４０５に入力する。
【００３２】
流量センサ４４２の下流には、電解槽ユニット４５０が設けられている。電解槽ユニット４５０は、内部を流れる水道水を電気分解することにより、水道水から次亜塩素酸を含む液（機能水）を生成する。電解槽ユニット４５０は、制御部４０５に接続されている。電解槽ユニット４５０は、制御部４０５による制御に基づいて、機能水の生成を行う。
【００３３】
電解槽ユニット４５０において生成される機能水は、例えば、銀イオンや銅イオンなどの金属イオンを含む溶液であってもよい。あるいは、電解槽ユニット４５０において生成される機能水は、電解塩素やオゾンなどを含む溶液であってもよい。あるいは、電解槽ユニット４５０において生成される機能水は、酸性水やアルカリ水であってもよい。
【００３４】
電解槽ユニット４５０の下流には、バキュームブレーカ（ＶＢ）４５２が設けられている。バキュームブレーカ４５２は、例えば、水を流すための流路と、流路内に空気を取り込むための吸気口と、吸気口を開閉する弁機構と、を有する。弁機構は、例えば、流路に水が流れている時に吸気口を塞ぎ、水の流れの停止とともに吸気口を開放して流路内に空気を取り込む。すなわち、バキュームブレーカ４５２は、導水部２０に水の流れが無い時に、管路２０ａ内に空気を取り込む。弁機構には、例えば、フロート弁が用いられる。
【００３５】
バキュームブレーカ４５２は、上記のように管路２０ａ内に空気を取り込むことにより、例えば、管路２０ａのバキュームブレーカ４５２よりも下流の部分の水抜きを促進させる。バキュームブレーカ４５２は、例えば、ノズル４７３の水抜きを促進する。このように、バキュームブレーカ４５２は、ノズル４７３内の水を抜いてノズル４７３内に空気を取り込むことにより、例えば、ノズル４７３内の洗浄水やボウル８０１内に溜まった汚水などが、給水源１０（上水）側に逆流してしまうことを抑制する。
【００３６】
バキュームブレーカ４５２の下流には、圧力変調部４５４が設けられている。圧力変調部４５４は、導水部２０の管路２０ａ内の水の流れに脈動または加速を与え、ノズル４７３のおしり洗浄吐水口４７４ａ、やわらか洗浄吐水口４７４ｂ、及びビデ洗浄吐水口４７４ｃやノズル洗浄部４７８の吐水部から吐水される水に脈動を与える。すなわち、圧力変調部４５４は、管路２０ａ内を流れる水の流動状態を変動させる。圧力変調部４５４は、制御部４０５に接続されている。圧力変調部４５４は、制御部４０５による制御に基づいて、水の流動状態を変動させる。圧力変調部４５４は、管路２０ａ内の水の圧力を変動させる。
【００３７】
圧力変調部４５４の下流には、流量調整部４７１が設けられている。流量調整部４７１は、水勢（流量）の調整を行う。流量調整部４７１の下流には、流路切替部４７２が設けられている。流路切替部４７２は、ノズル４７３やノズル洗浄部４７８への給水の開閉や切替を行う。流量調整部４７１及び流路切替部４７２は、１つのユニットとして設けてもよい。流量調整部４７１及び流路切替部４７２は、制御部４０５に接続されている。流量調整部４７１及び流路切替部４７２の動作は、制御部４０５によって制御される。
【００３８】
流路切替部４７２の下流には、ノズル４７３、ノズル洗浄部４７８、及び噴霧ノズル４７９が設けられている。ノズル４７３は、ノズル駆動部４７６からの駆動力を受け、便器８００のボウル８０１内に進出したり、ボウル８０１内から後退したりする。
【００３９】
ノズル洗浄部４７８は、例えば、吐水部から機能水あるいは水を噴射することにより、ノズル４７３の外周表面（胴体）を洗浄する。噴霧ノズル４７９は、洗浄水や機能水をミスト状にしてボウル８０１に噴霧する。この例では、人体を洗浄するためのノズル４７３とは別に噴霧ノズル４７９を設けている。これに限ることなく、ミスト状の液体をボウル８０１に噴霧するための吐水口をノズル４７３に設けてもよい。
【００４０】
また、流路切替部４７２の下流には、導水部２０を介して給水源１０から供給された水や電解槽ユニット４５０において生成された機能水を、ノズル４７３に供給するおしり洗浄流路２１と、やわらか洗浄流路２２と、ビデ洗浄流路２３と、が設けられている。おしり洗浄流路２１は、流路切替部４７２とおしり洗浄吐水口４７４ａとを接続する。やわらか洗浄流路２２は、流路切替部４７２とやわらか洗浄吐水口４７４ｂとを接続する。ビデ洗浄流路２３は、流路切替部４７２とビデ洗浄吐水口４７４ｃとを接続する。
【００４１】
また、流路切替部４７２の下流には、表面洗浄流路２４と、噴霧用流路２５と、が設けられている。表面洗浄流路２４は、導水部２０を介して給水源１０から供給された水や電解槽ユニット４５０において生成された機能水をノズル洗浄部４７８の吐水部へ導く。噴霧用流路２５は、導水部２０を介して給水源１０から供給される水や電解槽ユニット４５０において生成された機能水を噴霧ノズル４７９に導く。
【００４２】
制御部４０５は、流路切替部４７２を制御することにより、おしり洗浄流路２１、やわらか洗浄流路２２、ビデ洗浄流路２３、表面洗浄流路２４、及び噴霧用流路２５の各流路の開閉を切り替える。このように、流路切替部４７２は、おしり洗浄吐水口４７４ａ、やわらか洗浄吐水口４７４ｂ、ビデ洗浄吐水口４７４ｃ、ノズル洗浄部４７８、及び噴霧ノズル４７９などの複数の吐水口のそれぞれについて、管路２０ａに連通させた状態と、管路２０ａに連通させない状態と、を切り替える。
【００４３】
制御部４０５は、電源回路４０１から電力を供給され、人体検知センサ４０３や、着座検知センサ４０４や、流量センサ４４２や、操作部５００などからの信号に基づいて、電磁弁４３１や、熱交換器ユニット４４０や、電解槽ユニット４５０や、圧力変調部４５４や、流量調整部４７１や、流路切替部４７２や、ノズル駆動部４７６などの動作を制御する。
【００４４】
人体検知センサ４０３は、図１に表したように、ケーシング４００の上面に形成された凹設部４０９に埋め込まれるように設けられ、便座２００に近づいた使用者（人体）を検知する。換言すれば、人体検知センサ４０３は、衛生洗浄装置１００の近傍にいる使用者を検知する。また、便蓋３００の後部には透過窓３１０が設けられている。そのため、便蓋３００が閉じた状態において、人体検知センサ４０３は、透過窓３１０を介して使用者の存在を検知することができる。制御部４０５は、例えば、人体検知センサ４０３による使用者の検知に応答して、便蓋３００を自動的に開く。
【００４５】
また、ケーシング４００には、便座２００に座った使用者の「おしり」などに向けて温風を吹き付けて乾燥させる「温風乾燥機能」や「脱臭ユニット」や「室内暖房ユニット」などの各種の機構が適宜設けられていてもよい。この際、ケーシング４００の側面には、脱臭ユニットからの排気口４０７及び室内暖房ユニットからの排出口４０８が適宜設けられる。ただし、本発明においては、衛生洗浄機能部やその他の付加機能部は必ずしも設けなくてもよい。
【００４６】
図３〜図５は、実施形態に係る衛生洗浄装置の局部洗浄ノズル周辺を模式的に表す斜視図である。  
図３は、ノズル４７３がケーシング４００に収納された収納状態を表す。  
図４及び図５は、ノズル４７３がケーシング４００から進出した進出状態を表す。  
なお、図３〜図５では、ノズル４７３周辺の部材以外を省略している。
【００４７】
図３〜図５に表したように、ノズル４７３は、ケーシング４００に収納された収納状態と、ケーシング４００から前方に進出した進出状態と、を有する。ノズル４７３は、進出状態において、おしり洗浄吐水口４７４ａ、やわらか洗浄吐水口４７４ｂ、またはビデ洗浄吐水口４７４ｃから吐水することで、人体局部を洗浄する。
【００４８】
この例では、ノズル４７３は、第１筒部４７３ａと、第２筒部４７３ｂと、を有する多段ノズルである。第１筒部４７３ａは、ケーシング４００から進出する。第２筒部４７３ｂは、第１筒部４７３ａの内部に収納され、第１筒部４７３ａから進出する。このように、ノズル４７３を多段ノズルとすることで、ノズルユニットを前後方向に小型化することができる。これにより、ケーシング４００を前後方向に小型化することができる。なお、ノズル４７３は、多段ノズルに限定されない。ノズル４７３は、１つの筒部からなる一段ノズルであってもよい。
【００４９】
また、この例では、ノズル４７３は、上向きに凸となるように湾曲している。この場合、ノズル４７３は、円弧状の軌道に沿って進退する。このように、ノズル４７３を上向きに凸となるように湾曲した形状とすることで、ノズルユニットを上下方向に小型化することができる。これにより、ケーシング４００を上下方向に小型化することができる。なお、ノズル４７３は、湾曲しているものに限定されず、直線状のものであってもよい。
【００５０】
ノズル４７３は、ノズル４７３の下方に設けられたノズル支持部４８０により支持される。ノズル４７３は、ノズル支持部４８０の上面の傾斜に沿って移動（摺動）しながら、進出及び後退（進退）する。換言すれば、ノズル支持部４８０の上面の傾斜は、ノズル４７３の進退の軌道に沿う。この例では、ノズル支持部４８０の上面は、後方から前方に向かって、下方に傾斜している。なお、ノズル支持部４８０は、例えば、ノズル４７３を収納する筒状の部材であってもよい。
【００５１】
ノズル４７３を進退させるノズル駆動部４７６の少なくとも一部は、例えば、ノズル４７３の下方に設けられる。この例では、ノズル駆動部４７６の少なくとも一部は、ノズル支持部４８０の内部に設けられている。このように、ノズル駆動部４７６の少なくとも一部をノズル４７３の下方に設けることで、ノズル４７３の下方の空間をノズル駆動部４７６の可動域として有効活用することができ、ケーシング４００を小型化することができる。
【００５２】
ノズル駆動部４７６は、例えば、モータ、歯車、ケーブルラック（フレキシブルなラックギア）などを有する。ノズル駆動部４７６は、例えば、モータにより歯車を回転させ、ケーブルラックを動かすことで、ケーブルラックに接続されたノズル４７３を進退させる。この例では、ケーブルラックは、ノズル４７３の下方に取りまわされている。換言すれば、ケーブルラックは、ノズル４７３から後方に延び、下方に湾曲し、さらに前方に湾曲するように設けられている。例えば、ノズル４７３がケーシング４００の内部に収納された収納状態において、ケーブルラックのノズル４７３と接続されていない側の端部は、ノズル４７３の下方に位置する。
【００５３】
ノズル４７３には、ノズル４７３に水を供給するチューブ４７５が接続されている。チューブ４７５は、例えば、おしり洗浄流路２１、やわらか洗浄流路２２、及びビデ洗浄流路２３の少なくとも一部を構成する。チューブ４７５の一端（下流側）は、ノズル４７３に接続され、チューブ４７５の他端（上流側）は、チューブ４７５に水を供給する入水接続部４７７に接続される。例えば、チューブ４７５の一部は、ノズル４７３の内部に位置し、チューブ４７５の別の一部は、ノズル４７３の外部に位置している。
【００５４】
ノズル洗浄部４７８は、ノズル支持部４８０に設けられている。ノズル支持部４８０の前方側の端部には、ノズル洗浄部４７８を軸支するためのフレーム部４８０ａが設けられており、ノズル洗浄部４７８には、吐水部４７８ａと支持体４７８ｂとが設けられている。ノズル洗浄部４７８は、フレーム部４８０ａにより支持体４７８ｂが軸支されることで、ノズル支持部４８０に対して回動可能に取り付けられている。
【００５５】
以下、ノズル４７３及びノズル洗浄部４７８の動作について説明する。  
ノズル４７３が使用されていない状態では、図３に表したように、ノズル４７３の全体がケーシング４００の内部に収納されている。ノズル４７３によって局部洗浄が行われる際には、図４に表したように、第２筒部４７３ｂが第１筒部４７３ａから前下方に進出する。第２筒部４７３ｂが所定の位置に到達すると、図５に表したように、ノズル支持部４８０に沿って、第１筒部４７３ａが前下方に移動する。このとき、第１筒部４７３ａは、第２筒部４７３ｂが第１筒部４７３ａから前方に延びた状態で、第２筒部４７３ｂとともに前下方に移動する。第１筒部４７３ａが所定の位置に到達すると、おしり洗浄吐水口４７４ａ、やわらか洗浄吐水口４７４ｂ、またはビデ洗浄吐水口４７４ｃから使用者の局部に向けて水が吐出され、洗浄が行われる。
【００５６】
局部洗浄が完了すると、ノズル４７３は、ケーシング４００の内部に向けて後上方に移動する。ノズル４７３が後退する際には、まず、図４に表したように、第１筒部４７３ａが、所定の位置まで後退する。このとき、第１筒部４７３ａは、第２筒部４７３ｂが第１筒部４７３ａから前方に延びた状態で、第２筒部４７３ｂとともに後上方に移動する。第１筒部４７３ａが所定の位置に到達すると、図３に表したように、第２筒部４７３ｂが後上方に後退し、第１筒部４７３ａに収納される。
【００５７】
図３〜図５に表したように、ノズル洗浄部４７８は、ノズル４７３が収納状態のときの第１位置と、ノズル４７３が進出状態のときの第２位置と、の間で回動する。ノズル４７３が収納状態のときには、ノズル洗浄部４７８は、図３に表したように、吐水部４７８ａが下がった第１位置になる。ノズル４７３が進出すると、ノズル４７３により押し上げられることで吐水部４７８ａが前方及び上方に向かって回動し、ノズル洗浄部４７８は、図４及び図５に表したように、吐水部４７８ａが上がった第２位置になる。このように、第２位置における吐水部４７８ａは、第１位置における吐水部４７８ａよりも上方に位置する。また、第２位置における吐水部４７８ａは、第１位置における吐水部４７８ａよりも前方に位置する。
【００５８】
ノズル洗浄部４７８は、ノズル４７３が進退する際に、吐水部４７８ａから機能水あるいは水を吐出（噴射）することにより、ノズル４７３の外周表面（胴体）を洗浄する。換言すれば、ノズル洗浄部４７８は、第１位置及び第２位置において、吐水部４７８ａから水を吐出する。
【００５９】
図４及び図５に表したように、進出状態においてノズル４７３の先端は、ケースプレート４００ａの前端よりも前方（すなわち、ボウル８０１の内部）に位置する。また、第２位置において、ノズル洗浄部４７８の吐水部４７８ａは、ケースプレート４００ａの前端よりも前方に位置する。したがって、第２位置にあるノズル洗浄部４７８から水が吐出されると、吐出された水は、ノズル４７３を伝ってノズル４７３の先端に向かい、ケーシング４００の外部（すなわち、ボウル８０１の内部）に排出される。つまり、ノズル４７３の進出状態において、ノズル洗浄部４７８から吐出された水は、ケーシング４００の内部（ケースプレート４００ａ）に着水しにくい。
【００６０】
一方、図３に表したように、収納状態においてノズル４７３の先端は、ケースプレート４００ａの前端よりも後方（すなわち、ケーシング４００の内部）に位置する。また、第１位置において、ノズル洗浄部４７８の吐水部４７８ａは、ケースプレート４００ａの前端よりも後方に位置する。したがって、第１位置にあるノズル洗浄部４７８から水が吐出されると、吐出された水は、ケーシング４００の内部に排出される。つまり、ノズル４７３の収納状態において、ノズル洗浄部４７８から吐出された水は、ケーシング４００の内部（ケースプレート４００ａ）に着水しやすい。ノズル洗浄部４７８から吐出された水がケースプレート４００ａに着水すると、ノズル４７３の左右方向に飛散する。ノズル４７３の左右方向に配置された機器にこの飛散した水が着水すると、故障の原因となるおそれがある。
【００６１】
そこで、実施形態においては、ケーシング４００の内部に一対の水飛散抑制部４８５を設ける。一対の水飛散抑制部４８５は、第１位置にあるノズル洗浄部４７８から吐出された水が直接着水するケースプレート４００ａの着水部ＷＰ（図６参照）の左右に設けられる。着水部ＷＰ及び一対の水飛散抑制部４８５については、後述する。
【００６２】
このように、着水部ＷＰの左右に一対の水飛散抑制部４８５を設けることで、第１位置にあるノズル洗浄部４７８から吐出され着水部ＷＰで跳ねた水の飛散を、水飛散抑制部４８５によって抑制できる。したがって、回動式のノズル洗浄部４７８から吐出された水がケーシング４００の内部においてノズル４７３の左右方向に飛散することを抑制できる。
【００６３】
なお、ノズル洗浄部４７８から吐出されケースプレート４００ａに着水した水の一部は前後方向にも飛散しうるが、着水部ＷＰの後方にはノズル４７３が配置されているため、ノズル４７３によって着水部ＷＰの後方への水の飛散は抑制される。また、着水部ＷＰの前方には機器が設けられていないため、水が着水部ＷＰの前方に飛散しても機器の故障などの不具合は生じにくい。
【００６４】
図６は、実施形態に係る衛生洗浄装置の局部洗浄ノズルの先端周辺を拡大して模式的に表す斜視図である。  
図６は、図３に示した領域Ｒ１の拡大図である。  
図６に表したように、ケースプレート４００ａは、着水部ＷＰを有する。着水部ＷＰは、第１位置にあるノズル洗浄部４７８から吐出された水が直接着水する部分である。ノズル洗浄部４７８は、下方に向けて水を吐出する。したがって、着水部ＷＰは、第１位置にあるノズル洗浄部４７８の吐水部４７８ａの下方に位置する。
【００６５】
この例では、ノズル洗浄部４７８は、下方かつ後方に向けて水を吐出する。したがって、着水部ＷＰは、第１位置にあるノズル洗浄部４７８の吐水部４７８ａの下方かつ後方に位置する。より具体的には、着水部ＷＰは、第１位置にあるノズル洗浄部４７８の吐水部４７８ａと収納状態におけるノズル４７３の下端との間に位置する。換言すれば、着水部ＷＰの前端は、第１位置にあるノズル洗浄部４７８の吐水部４７８ａよりも後方に位置する。着水部ＷＰの後端は、収納状態におけるノズル４７３の下端よりも前方に位置する。このように、着水部ＷＰを第１位置にあるノズル洗浄部４７８の吐水部４７８ａと収納状態におけるノズル４７３の下端との間に位置するようにすることで、着水部ＷＰで跳ねた水がケーシング４００の奥部に飛散することを抑制できる。
【００６６】
水飛散抑制部４８５は、上下方向及び前後方向に拡がる板状の部材である。この例では、水飛散抑制部４８５は、側面視において、下方かつ前方に向かって突出する三角形状である。水飛散抑制部４８５の形状は、これに限定されず、任意の形状とすることができる。
【００６７】
水飛散抑制部４８５の前端は、着水部ＷＰの前端よりも前方に位置する。水飛散抑制部４８５の後端は、着水部ＷＰの後端よりも後方に位置する。このように、一対の水飛散抑制部４８５の前端を着水部ＷＰの前端よりも前方に位置するようにするとともに、一対の水飛散抑制部４８５の後端を着水部ＷＰの後端よりも後方に位置するようにすることで、着水部ＷＰの側方の全域を水飛散抑制部４８５でカバーすることができる。したがって、着水部ＷＰで跳ねた水の飛散をより確実に抑制できる。
【００６８】
また、一対の水飛散抑制部４８５は、左右方向において互いに重なる位置に設けられる。換言すれば、一対の水飛散抑制部４８５は、ノズル４７３に対して左右対称に設けられる。
【００６９】
また、この例では、一対の水飛散抑制部４８５は、ノズル支持部４８０に設けられている。より具体的には、一対の水飛散抑制部４８５は、ノズル支持部４８０の前方側の端部に設けられるフレーム部４８０ａに設けられている。また、上記のように、ノズル洗浄部４７８もノズル支持部４８０に設けられている。つまり、一対の水飛散抑制部４８５とノズル洗浄部４７８とは、同じ部材に設けられている。
【００７０】
このように、ノズル洗浄部４７８及び一対の水飛散抑制部４８５をノズル支持部４８０に設けることで、ノズル洗浄部４７８に対する水飛散抑制部４８５の位置がずれることを抑制できる。換言すれば、ノズル洗浄部４７８と水飛散抑制部４８５とを同じ部材に設けることで、組み立て誤差によって水飛散抑制部４８５の位置が着水部ＷＰからずれることを抑制できる。これにより、より確実に回動式のノズル洗浄部４７８から吐出された水がケーシング４００の内部においてノズル４７３の左右方向に飛散することを抑制できる。
【００７１】
なお、この例では、一対の水飛散抑制部４８５は、ノズル支持部４８０と一体に形成されているが、一対の水飛散抑制部４８５は、ノズル支持部４８０と別体であってもよい。つまり、一対の水飛散抑制部４８５は、ノズル支持部４８０に取り付けられていてもよい。また、一対の水飛散抑制部４８５は、ケースプレート４００ａに設けられていてもよいし、ノズル４７３周辺の他の部材に設けられていてもよい。
【００７２】
図７は、実施形態に係る衛生洗浄装置の局部洗浄ノズル周辺を模式的に表す正面図である。  
図７に表したように、一対の水飛散抑制部４８５は、例えば、ケースプレート４００ａから離れた位置に設けられる。つまり、一対の水飛散抑制部４８５は、例えば、ケースプレート４００ａの上方において、ケースプレート４００ａに当接しない位置に設けられる。換言すれば、一対の水飛散抑制部４８５とケースプレート４００ａとの間には、隙間が設けられる。
【００７３】
第１位置にあるノズル洗浄部４７８から吐出され、ケースプレート４００ａに排出された水は、例えば、前方（すなわち、ボウル８０１側）に向かって傾斜が設けられたケースプレート４００ａを伝って、ケーシング４００の外部（すなわち、ボウル８０１の内部）に排出される。このとき、ケースプレート４００ａと一対の水飛散抑制部４８５が当接していると、当接箇所に水が留まり、ケースプレート４００ａ上に水が残る場合がある。
【００７４】
これに対し、一対の水飛散抑制部４８５をケースプレート４００ａから離れた位置に設けることで、水飛散抑制部４８５とケースプレート４００ａとの間に隙間を設けることができる。これにより、第１位置にあるノズル洗浄部４７８から吐出され、ケースプレート４００ａに排出された水が、ケースプレート４００ａ上に残ることを抑制できる。
【００７５】
また、図７において、ノズル洗浄部４７８の吐水部４７８ａからの吐水を破線で示す。  図７に表したように、ノズル洗浄部４７８の吐水部４７８ａには、例えば、左右方向に並ぶ複数の吐水孔４７８ｃが設けられている。例えば、着水部ＷＰの左右方向の幅は、複数の吐水孔４７８ｃのうち左側の端に設けられた吐水孔４７８ｃと右側の端に設けられた吐水孔４７８ｃとの間の幅によって決まる。
【００７６】
したがって、一対の水飛散抑制部４８５は、例えば、左右方向において、一対の水飛散抑制部４８５の間に、吐水部４７８ａの左側の端に設けられた吐水孔４７８ｃと右側の端に設けられた吐水孔４７８ｃとが位置するように設けられる。換言すれば、一対の水飛散抑制部４８５の１つは、吐水部４７８ａの左側の端に設けられた吐水孔４７８ｃよりも左側に設けられ、一対の水飛散抑制部４８５の別の１つは、吐水部４７８ａの右側の端に設けられた吐水孔４７８ｃよりも右側に設けられる。これにより、一対の水飛散抑制部４８５をより確実に着水部ＷＰの左右に設けることができる。
【００７７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置１００などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７８】
１０ 給水源、  ２０ 導水部、  ２０ａ 管路、  ２１ おしり洗浄流路、  ２２ やわらか洗浄流路、  ２３ ビデ洗浄流路、  ２４ 表面洗浄流路、  ２５ 噴霧用流路、  １００ 衛生洗浄装置、  ２００ 便座、  ３００ 便蓋、  ３１０ 透過窓、  ４００ ケーシング、  ４００ａ ケースプレート、  ４０１ 電源回路、  ４０３ 人体検知センサ、  ４０４ 着座検知センサ、  ４０５ 制御部、  ４０７ 排気口、  ４０８ 排出口、  ４０９ 凹設部、  ４３１ 電磁弁、  ４３２ 調圧弁、  ４３３ 逆止弁、  ４４０ 熱交換器ユニット、  ４４２ 流量センサ、  ４５０ 電解槽ユニット、  ４５２ バキュームブレーカ、  ４５４ 圧力変調部、  ４７１ 流量調整部、  ４７２ 流路切替部、  ４７３ ノズル、  ４７３ａ 第１筒部、  ４７３ｂ 第２筒部、  ４７４ａ おしり洗浄吐水口、  ４７４ｂ やわらか洗浄吐水口、  ４７４ｃ ビデ洗浄吐水口、  ４７５ チューブ、  ４７６ ノズル駆動部、  ４７７ 入水接続部、  ４７８ ノズル洗浄部、  ４７８ａ 吐水部、  ４７８ｂ 支持体、  ４７９ 噴霧ノズル、  ４８０ ノズル支持部、  ４８０ａ フレーム部、  ４８５ 水飛散抑制部、  ５００ 操作部、  ８００ 便器、  ８０１ ボウル、  Ｒ１ 領域、  ＷＰ 着水部
【図１】
2020117900.tif 000003
【図２】
2020117900.tif 000004
【図３】
2020117900.tif 000005
【図４】
2020117900.tif 000006
【図５】
2020117900.tif 000007
【図６】
2020117900.tif 000008
【図７】
2020117900.tif 000009